(57)【特許請求の範囲】
【請求項１】
バスルームの浴槽に対応して設置され、浴槽内に出入りする際に使用される入浴用手すりにおいて、前記浴槽の入浴側のコーナー部と接近した位置に設置され、前記バスルームの床面に下部側を埋設した状態で、前記浴槽よりも上方へ突出する長さに設けられた主柱部材と、前記主柱部材の上部側に対し回転自在に組み付けられて、主柱部材に略直角となる水平方向へ延びており、かつ少なくとも浴槽の対応する２つの縁部側の上方と、前記バスルームの床面上に回転可能な把持部材と、前記把持部材の回転を所定角度毎に係止するロック手段とからなり、前記把持部材が、前記浴槽の対応縁部に対し少なくとも上方に１５ｃｍ以上の隙間を保って配置されることを特徴とする入浴用手すり。
【請求項２】
バスルームの浴槽に対応して設置され、浴槽内に出入りする際に使用される入浴用手すりにおいて、前記バスルームの床面に下部側を埋設した状態で、前記浴槽よりも上方へ突出する長さに設けられた主柱部材と、前記主柱部材の上部側に対し回転自在に組み付けられて、主柱部材に略直角となる水平方向へ延びている把持部材と、前記把持部材の回転を所定角度毎に係止するロック手段とからなり、前記把持部材が、前記浴槽の対応縁部に対し少なくとも上方に１５ｃｍ以上の隙間を保って配置されており、
前記ロック手段は、前記把持部材の基部側に固定されたハウジングと、前記ハウジングに上下動可能に組み込まれて、該ハウジングの上面から突出した上端側を操作部に設定したシャフトと、前記シャフトを前記ハウジングの下面から突出する方向へ付勢しているバネと、前記主柱部材の上部側に固定されたフランジとを有し、前記シャフトが前記フランジに設けられた複数の係合孔に係脱されることを特徴とする入浴用手すり。
【請求項３】
入浴時には、把持部材が浴槽の対応する入浴側の縁部上方に回転してロック手段を介し係止した態様で使用されるため、介助を要する人は椅子に座った状態で、浴槽の入浴側の縁部上に配置された把持部材を掴み、足を浴槽縁部と把持部材との隙間を通して浴槽内に入れた後、上半身を浴槽内へ略水平移動するだけで、浴槽に入ることができ、浴槽から出るときの垂直移動も少なくできることを特徴とする請求項1又は請求項2に記載の入浴用手すり。
【発明の詳細な説明】
【０００１】
【技術分野】
本発明は、バスルームの浴槽に対応して設置される手すりのうち、特に介助を要する人等に好適な入浴用手すり及びそれを用いた浴槽構造に関する。
【０００２】
【背景技術】
この種の入浴用手すりとしては、従来から色々な構造のものが用いられており、図６にその代表例を示している。同図（ａ）の手すり２０は、操作ノブ２１付きの取付部２２と、取付部２２上に突設された略逆Ｕ形の把持部２３とからなり、浴槽の縁部を取付部２２を構成している挟持片２２ａ，２２ｂにて挟み込んで、操作ノブ２１を回転することにより着脱可能に取り付けられる。したがって、この手すり２０では、浴槽の入浴側の縁部に取り付けられた状態で、把持部２３がその浴槽の対応縁部に連続して突出される。これに対し、同図（ｂ）の手すり２５は、取付ブラケット２６に把持部材２７を上下に略９０度回転可能に支持した構造である。そして、この手すり２５では、バスルームの垂直壁面に取付ブラケット２６を介し着脱可能に取り付けられて、同図の如く把持部材２７が浴槽の幅方向に回転された状態で使用されると共に、不使用時に邪魔にならないように垂直状態まで回転される。
【０００３】
【発明の開示】
【発明が解決しようとする課題】
以上のような、従来の入浴用手すりでは次のような問題がある。第１に、入浴用手すりは、特に、介助を要する人が使用するものであり、車椅子等に座った状態から、極力起立することなく浴槽内に入れるように支持できることが好ましい。ところが、図６（ａ）の構造では、椅子に座った状態で、把持部２０ａを手で掴むと、足を浴槽内に入れようとしてもその把持部２０ａに当たり易くなる。図６（ｂ）の構造では、把持部材２７を浴槽の入浴側縁部まで達する長さし、その突出先端側を手で掴むようにすると、安定性に欠け、恐怖感を与え易い。
【０００４】
第２に、取付強度的には、人の全体重が加わる関係で充分に確保されることが好ましい。ところが、図６（ａ）の場合は、浴槽の縁部の耐久性に左右され、一般的に満足でき難くいことに加え、操作ノブ２１が緩んで危険になることもある。図６（ｂ）の場合は、取付ブラケット２６の固定力に左右され、人の全体重に耐えるにはそれ相当な工夫が必要となる。第３に、使用形態の多様性として、図６（ｂ）の場合は把持部材２７を使用時の水平位置と収納時の垂直位置とに切り換えるだけであり、その切り換え操作も介助の要する人にとって容易ではない。図６（ａ）の場合は浴槽の縁部に対する取付位置を付け替えて変更できるものの、手すり２０自体を着脱することは力を必要とし容易ではない。
【０００５】
本発明は、以上の背景からなされてものであり、その目的は、介助を要する人にとって使い勝手がよく、使用形態の多様性に富み、しかも取付強度も構造的に確保される入浴用手すり及びそれを用いた浴槽構造を提供することにある。他の目的は以下の内容説明の中で明らかにする。
【０００６】
【課題を解決するための手段】
上記目的を達成するため本発明は、バスルームの浴槽に対応して設置され、浴槽内に出入りする際に使用される入浴用手すりにおいて、前記バスルームの床面に下部側を埋設した状態で、前記浴槽よりも上方へ突出する長さに設けられた主柱部材と、前記主柱部材の上部側に対し回転自在に組み付けられて、主柱部材に略直角となる水平方向へ延びている把持部材と、前記把持部材の回転を所定角度毎に係止するロック手段とからなり、前記把持部材が、前記浴槽の対応縁部に対し少なくとも上方に１５ｃｍ以上の隙間を保って配置されるようにしたものである。
【０００７】
また、本発明は、浴槽内に出入りする際に使用される入浴用手すりを有した浴槽構造として捉えると、前記手すりとして、上記構成のもが用いられて、主柱部材を前記浴槽の入浴側のコーナー部と接近した位置に設置し、かつ前記把持部材を少なくとも浴槽の対応する２つの縁部側の上方と、前記バスルームの床面上に回転して前記ロック手段を介し前記各回転位置で係止可能にしている構成になる。
【０００８】
以上の各構造は、立つことが不安定な人にとって、椅子に座った状態から起立ないしは垂直移動することなく、極力水平移動のみで浴槽内に入れることが不可欠となり、そのような観点に着目して工夫されたものである。すなわち、本発明の入浴用手すりは、浴槽の入浴側のコーナー部と接近した位置に設置された状態で、把持部材が浴槽の対応縁部に対し上方に１５ｃｍ以上の隙間を保って配置され、また、把持部材を浴槽の対応する２つの縁部側の上方と、床面上に回転してロック手段を介し各回転位置で係止して使用される。このため、把持部材の使用態様としては、椅子に座った状態からの入浴性、入浴時の支持性や不使用時の収納性、洗い場での支持性等を兼ね備えている。しかも、バスルームに床立ち上げ式に設置されることから、取付強度を構造的に強化し、安定感も得られる。
【０００９】
なお、以上の構成において、ロック手段としては、把持部材の基部側に固定されたハウジングと、ハウジングに上下動可能に組み込まれて、該ハウジングの上面から突出した上端側を操作部に設定したシャフトと、前記シャフトをハウジングの下面から突出する方向へ付勢しているバネと、主柱部材の上部側に固定されたフランジとを有し、シャフトがフランジに設けられた複数の係合孔に係脱される構成である。この構造は、介助を要する人にとって重要となる、例えば、係脱操作性が容易であること、視覚で確認できること、係止力が強いこと等の条件を全て満たすことができる。
【００１０】
【発明を実施するための最良の形態】
以下、本発明の実施形態を図面を用いて詳細に説明する。この実施形態は、好適な具体例であり、本発明の範囲を制約するものではない。なお、図１は本発明の入浴用手すりをバスルームに設置した浴槽構造を示す構成外観図、図２はその入浴用手すり単品を示す斜視図である。図３（ａ）は入浴用手すりを一部省略した側面図、図３（ｂ）は入浴用手すりを上から見た図である。図４（ａ）は図３（ａ）のＡ−Ａ線に沿う断面図、図４（ｂ）は図３（ｂ）のＢ−Ｂ線に沿う断面図である。図５（ａ）はロック手段を示す拡大断面図、５（ｂ）はロック手段のロック解除操作を示す図である。
【００１１】
図１のバスルーム１は、浴槽構造として、２つの浴槽２，３が室の垂直壁面１ｂに沿って隣接した状態で設置されて、両浴槽２，３の手前に位置する床面１ａが洗い場として利用されると共に、両浴槽２，３の間に設置された入浴用手すり４を有している。なお、床面１ａや垂直壁面１ｂの仕様はタイル貼にしたり、複合パネルなどで構成される。
【００１２】
入浴用手すり４は、主柱部材５と、主柱部材５の上部側に対し回転自在に組み付けられた把持部材６と、把持部材６の回転を所定角度毎に係止するロック手段７とを備えている。なお、主柱部材５，把持部材６は剛性及び腐蝕し難いステンレス系等のパイプであり、それぞれ円筒状のものが用いられているが、円形棒状のものであってもよい。
【００１３】
主柱部材５は、全寸が約７９ｃｍに設定され、下部側を床面１ａに埋設した状態で、浴槽２，３の上方へ大きく突出される。下端にはアンカー用の矩形板８が溶接等により装着され、上部側には円形ないしはドーナッ形のフランジ９が溶接等により装着されている。フランジ９には、略９０度間隔を保って同心円上に４個の係合孔９ａが上下貫通した状態に設けられている。また、主柱部材５の上端は、ドーム状のキャップ１０が差し込まれて、水が入り込まないよう処理されている。このキャップ１０は、後述する把持部材６の基部側の抜け止めを兼ねる取付筒材１１及び止めネジ等１２により主柱部材５に一体的に固定されている。
【００１４】
把持部材６は、全寸が約６０ｃｍに設定され、基部側に溶接等により装着された取付筒材１３と、突出先端に圧入等により装着されたキャップ１４とを有している。そして、この把持部材６は、主柱部材５に対し、取付筒材１３が主柱部材５の上端側から差し込まれて、フランジ９と前記した取付筒材１１との間に回転可能に支持された状態で組み付けられている。
【００１５】
ロック手段７は、前記したフランジ９の係合孔９ａに対し、手動にて係脱操作する構造であり、図５（ａ）に拡大して示す如く、ハウジング１５と、シャフト１６と、付勢手段であるバネ１７とからなる。ここで、ハウジング１５は、内部空洞のケースであり、上下面に同軸に設けられて貫通孔１５ａ，１５ｂを有している。そして、このハウジング１５は、把持部材６の基部側に連結片１８を介在した状態で溶接等により固定される。なお、組み付けでは、ハウジング１５を取付筒材１３に対し固定してもよいが、何れの場合にも、貫通孔１５ａ，１５ｂがフランジ９の係合孔９ａと同心円上に位置するように配置される。これに対し、シャフト１６は、各貫通孔１５ａ，１５ｂを挿通した状態でハウジング１５内に移動可能に組み込まれており、上側の突出部が操作部１６ａに設定され、下側の突出部が係止部１６ｂに設定されている。また、ハウジング１５内に位置するシャフト１６の下部側には、小さなフランジ部又は止め部１６ｃが装着されている。そして、シャフト１６は、その止め部１６ｃの存在により、図５（ａ）の如くバネ１７の付勢圧が得られるようにすると共に、シャフト１６の下移動を規制できるようになっている。すなわち、バネ１７は、コイルバネが用いられており、ハウジング１５内にあって、下側を止め部１６ｃに係止し、上側をハウジング１５の上内面に係止することにより、圧縮状態に組み込まれている。このため、シャフト１６は、通常状態において、バネ１７の付勢圧により下方向に移動されており、係止部１６ｂが係合孔９ａに差し込まれて係合される。また、図５（ｂ）の如く、操作部１６ａを摘んで上側へ引くと、シャフト１６はバネ１７の付勢圧に抗して上方へ移動されて、前記係合状態を解除できるようになっている。
【００１６】
次に、以上の入浴用手すり４についてその設置要領を概説する。この入浴用手すり４は、家庭向きとして開発されたものであるが、介護施設等のバスルーム１にも同様に適用することができる。また、図１ではバスルーム１に２つの浴槽２，３が設置される例を示したが、単一の浴槽の場合も同様な要領にて行われる。入浴用手すり４は、主柱部材５が浴槽２又は３の入浴側のコーナー部と接近した位置に設置される。この場合、主柱部材５は、アンカー用の矩形板８が直接、或いは図１の破線で示す如く専用の設置部材１８上に固定配置されて、床面１ａから立設された状態に設置される。また、設置時には、主柱部材５が浴槽２，３よりも上方に突出し、把持部材５が浴槽２，３における入浴側の縁部２ａ，３ａに対し少なくとも上方に１５ｃｍ以上、好ましくは１７ｃｍ以上の隙間を保って配置されるようにする。これに加え、把持部材５が少なくとも浴槽の対応する２つの縁部２ａ，２ｂ（及び／縁部３ａ，３ｂ）側の上方と、バスルーム１の床面１ａ上に回転し、ロック手段７を介しその各回転位置で係止されるように位置決めする。
【００１７】
本発明は、以上のような形態例として具体化されるが、例えば、ロック手段７やフランジ８等についてはこれをベースにして公知の構造のものに適宜に変更することができるものである。なお、その場合にも、この形態例の如くフランジ８等の構成部材は形状的に角張らないようにし、不用意に当たっても怪我をすることなく、安全性に優れたものにすることが好ましい。
【００１８】
【発明の効果】
以上、説明したように、本発明にあっては次のような効果が達成される。
（１）、この構造では、浴槽の入浴側のコーナー部と接近した位置に設置されて、把持部材が浴槽の対応縁部に対し上方に１５ｃｍ以上の隙間を保って配置される。入浴時には、把持部材が浴槽の対応する入浴側の縁部上方に回転してロック手段を介し係止した態様で使用される。このため、介助を要する人は椅子に座った状態で、浴槽の入浴側の縁部上に配置された把持部材を掴み、足を浴槽縁部と把持部材との隙間を通して浴槽内に入れた後、上半身を浴槽内へ略水平移動するだけで、浴槽に入ることができ、浴槽から出るときの垂直移動も少なくできる。
（２）、入浴用手すりは、部材点数が少なく、また、バスルームの床面に主柱部材の下部側を埋設した状態で設置されることから、取付強度を構造的に強化することができる。このように、床立ち上げ式に設置されていることから、使用者は安定感が得られる。
（３）、把持部材は、浴槽の対応する２つの縁部側の上方と、バスルームの床面上に回転してロック手段を介し各回転位置で係止する態様で使用される。このため、入浴用手すりとしては、例えば、図１の如く入浴位置と、入浴時ないしは収納位置と、浴槽から出たときの洗い場での使用位置とに切り換えて使用することができ、また浴槽を２つ使用する場合に各浴槽で兼用することができる。
【図面の簡単な説明】
【図１】本発明の入浴用手すりを設置した浴槽構造を示す模式外観図である。
【図２】図１の入浴用手すり単品を示す斜視図である。
【図３】図１の入浴用手すりを示す一部省略した側面図及び上から見た図である。
【図４】図３（ａ）のＡ−Ａ線と、図３（ｂ）のＢ−Ｂ線に沿う断面図である
【図５】上記入浴用手すりを構成しているロック手段を示す断面図及び参考図である。
【図６】従来の入浴用手すりの２例を単品で示す図である。
【符号の説明】
１はバスルーム
１ａは床面
２，３は浴槽
２ａ，３ａは浴槽の入浴側縁部
４は入浴用手すり
５は主柱部材
６は把持部材
７はロック手段
【図１】
0004056625.tif 000002
【図２】
0004056625.tif 000003
【図３】
0004056625.tif 000004
【図４】
0004056625.tif 000005
【図５】
0004056625.tif 000006
【図６】
0004056625.tif 000007